(57)【要約】【課題】建物の外壁パネル間の目地に取付けられる一次及び二次目地材よりなる目地材において、外壁パネルを取付けたのちに取付けられると共に、目地幅が拡開するようなことがあってもシールが維持され、しかもメンテナンス時の一次目地材や外壁パネルの取換えが容易に行えるようにする。【解決手段】目地上端より上実下に挿入される二次目地材２１が断面山形状の押出成形品よりなり、頂部２１ａと両端のリップ２１ｃが軟質の熱可塑性樹脂、上記以外の部分が硬質の熱可塑性樹脂からなっており、リップ２１ｃと反対側には突部２１ｄが突設されている。二次目地材２１は挿入後、目地２４を通して頂部２１ａを柱１１に当たるまで押込んで平坦にされ、この状態でリップ２１ｃが上実下面に接する点ｍが突部２１ｄよりも内側に位置する。その後、一次目地材３が目地２４に取付けられる。【選択図】図８
2006057400.tif 000002
【特許請求の範囲】
【請求項１】
建物の外壁パネル間に形成される目地に取付けられる目地材であって、上記目地の室内側に押込んで取付けられる二次目地材と、目地上端より挿入されて室外側に取付けられる一次目地材よりなり、上記二次目地材は、断面略山形状をなして、頂部が可撓性を有して屈折ないし屈曲可能であり、両端にはリップを有し、二次目地材を外壁パネル裏面の側縁部に挿入したのち、目地を通して頂部を柱或いは下地材に押込んだとき、上記リップの先端が外壁パネル裏面の側縁部に弾接することを特徴とする目地材。
【請求項２】
上記二次目地材２１は、高剛性を有し、リップ２１ｃが柔軟性を有することを特徴とする請求項１記載の目地材。
【請求項３】
上記二次目地材には、両端にリップとは逆向きをなして柱或いは下地材に当たる突部を有し、リップが外壁パネル裏面の側縁部に弾接した状態で該弾接位置が突部よりも頂部側の内側に位置することを特徴とする請求項１又は２記載の目地材。
【発明の詳細な説明】
【技術分野】
【０００１】
本発明は、建物の外壁パネル間に形成される目地に取付けられる目地材に関する。
【背景技術】
【０００２】
図１は、図２に示す外壁パネル１間に形成される目地２に取付けられる従来の一次目地材３ａについて示すもので、柱部４と、該柱部４の上端から横向きに突設される頭部リップ５と、柱部４の中間部から斜め上向きに突設される中間リップ６と、柱部下端から斜め上向きに突設される下部リップ７と、頭部リップ５と中間リップ６を連結するブリッジ８よりなり、目地２への施工は図２に示すように、外壁パネル１を取付後、目地２の室内側にポリエチレンやＥＰＤＭ等の発泡体よりなる丸棒の二次目地材３Ｂを押込んで取付け、ついでその上から一次目地材３ａを押込んで取付けることにより行われるようになっている。
【０００３】
図３は、従来の目地材の別の例を示すもので、目地２に取付けられる一次目地材３ａと、斜め上向きに突設されるリップ９を有し、該リップ９が外壁パネル１の端縁裏面に押し当てられる二次目地材１０よりなり、その施工は、二次目地材１０を柱１１上に固定したのち、外壁パネル１を取付け、ついでパネル間の目地２に上述する一次目地材３ａを押込むことにより行われるようになっている。
【０００４】
図３に示す目地材では、目地幅が拡開するようなことがあっても、二次目地材１０のリップ９が外壁パネル１裏面に押付けられることによりシールされるが、二次目地材１０は外壁パネル１を取付ける前に取付けておかねばならないが、外壁パネル１を取付ける際には、リップ９を押込みながら取付けるため必要な目地幅の確保が難しく、作業性が悪い、という難点があった。
【０００５】
こうした問題に対処するため、下記特許文献１に開示されるような目地材が提案されている。この目地材は図４に示すように、柱部１２と、該柱部１２の上端から横向きに突設される頭部リップ１３と、柱部下端部から斜め上向きに突設される中間リップ１４と、柱部下端から斜め下向きに突設され、先端に上向きに突出する鉤状部１５を形成した下部リップ１６よりなり、その施工は、図５に示すように、側端縁の段付部分２０に断面コ形の溝形鋼１７を固定した外壁パネル１８を取付後、目地上端から溝形鋼内に目地材１９を挿入し、挿入後、屋外側から目地を通して目地材１９を押込んで下部リップ１６を押し拡げることにより行われるようになっている。
【０００６】
この目地材１９によれば、外壁パネルを取付けて必要な目地幅を確保したのちに取付けることができるため、作業性を改善することができる。
【特許文献１】特開２００１−２６２７２４号
【発明の開示】
【発明が解決しようとする課題】
【０００７】
本発明は、上述する目地材１９について改良を加え、メンテナンス時の目地材の取換えが容易に行えるようにしたものである。
【課題を解決するための手段】
【０００８】
請求項１に係わる発明は、建物の外壁パネル間に形成される目地に取付けられる目地材であって、上記目地の室内側に押込んで取付けられる二次目地材と、目地上端より挿入されて室外側に取付けられる一次目地材よりなり、上記二次目地材は、断面略山形状をなして、頂部が可撓性を有して屈折ないし屈曲可能であり、両端にはリップを有し、二次目地材を外壁パネル裏面の側縁部に挿入したのち、目地を通して頂部を柱或いは下地材に押込んだとき、上記リップの先端が外壁パネル裏面の側縁部に弾接することを特徴とする。
【０００９】
本発明において用いられる一次目地材としては、目地に押込まれる既知の種々のものを用いることができる。こうしたものとしては、例えば図１に示されるゴム又は樹脂製の目地材３よりなるものを挙げることができる。
【００１０】
断面略山形状をなす二次目地材の頂部に可撓性を持たせて屈折ないし屈曲可能とするためには、例えば頂部の肉厚を薄くしたり、頂部の材質を硬度の小さなものとするとよい。
【００１１】
請求項２に係わる発明は、請求項１に係わる発明の二次目地材は、高剛性を有し、リップが柔軟性を有することを特徴とする。
【００１２】
二次目地材の材質としては、オレフィン系やスチレン系等の熱可塑性樹脂、ＥＰＤＭ等のゴムを用いることができ、その硬度は、オレフィン系やスチレン系の熱可塑性樹脂の場合、ショアＤ硬度が好ましくは４０度以上、ＥＰＤＭ等のゴムの場合、デュロＡ高度が好ましくは９０度以上とされる。またリップの硬度は、上述する熱可塑性樹脂、ＥＰＤＭ等のゴム共に、デュロＡ硬度が好ましくは６０〜７５度とされる。
【００１３】
請求項３に係わる発明は、請求項１又は２に係わる発明において、二次目地材には、両端にリップとは逆向きをなして柱或いは下地材に当たる突部を有し、リップが外壁パネル裏面の側縁部に弾接した状態で該弾接位置が突部よりも頂部側の内側に位置することを特徴とする。
【発明の効果】
【００１４】
請求項１に係わる発明によると、一次及び二次目地材共、外壁パネルを取付けたのちに取付けられ、外壁パネルを取付ける際の必要な目地幅の確保が容易で、外壁パネル取付けの作業性がよいこと、目地幅が拡開するようなことがあっても二次目地材のリップが外壁パネル裏面の側縁部に弾接することによりシールが維持されること、屋外水露による経時劣化に伴うメンテナンス時の一次目地材の取換えが容易に行える。
【００１５】
請求項２に係わる発明によると、二次目地材が高剛性を有するため目地上端からの挿入が容易に行え、またリップが柔軟性を有するため外壁パネル裏面の側縁部に弾接してシールを確実に行うことができる。
【００１６】
請求項３に係わる発明によると、リップの外壁パネル裏面の側縁部への弾接位置が柱或いは下地材に当たる突部よりも内側に位置するため、上実及び柱或いは下地材から受ける反力による偶力によって頂部が柱或いは下地材に押付けられようとし、山形に復元しようとするのを阻止して外壁パネル裏面の側縁部に弾接するリップによるシールを確実に維持させることができる。
【発明を実施するための最良の形態】
【００１７】
図６は、本発明に係わる目地材の二次目地材２１について示すもので、断面略山形状の押出成形品よりなり、頂部２１ａと、両端の折返し部分２１ｂより突設される嘴状をなすリップ２１ｃを除く部分がショアＤ高度４０度以上の高剛性をなす硬質の熱可塑性樹脂からなり、頂部２１ａとリップ２１ｃは、デュロＡ硬度６０〜７５度の柔軟性を有する軟質の熱可塑性樹脂製からなっている。そして両端には、リップ２１ｃと逆向きに突部２１ｄが突設されている。
【００１８】
図７は、上述する二次目地材２１を目地上端より挿入した状態を示すもので、挿入後、図８に示すように目地２４を通して頂部２１ａを柱１１に当たるまで押込んで平坦にする。この状態でリップ２１ｃが外壁パネル裏面の側縁部に弾接する点ｍは、柱１１に当たる突部２１ｄよりも頂部側の内側に位置する。このため外壁パネル裏面の側縁部からリップ２１ｃに作用する反力Ｒ１と、柱１１から突部２１ｄに作用する反力Ｒ２による偶力によって頂部２１ｃは柱１１に押付けられ、山形への復元を阻止されるとともに、リップ２１ｃが外壁パネル裏面の側縁部に弾接し、その状態を維持する。
【００１９】
次に上述する一次目地材３を目地２４に押込んで取付ける。図９は、一次目地材３を取付けた状態を示す。
【産業上の利用可能性】
【００２０】
建物の外壁パネル間に形成される目地に取付けるのに使用される。
【図面の簡単な説明】
【００２１】
【図１】従来の目地材の断面図。
【図２】図１に示す目地材を目地に取付けた状態を示す断面図。
【図３】従来の目地材の別の例を示す断面図。
【図４】従来の目地材の更に別の例を示す断面図。
【図５】図４に示す目地材を取付けた状態を示す断面図。
【図６】本発明に係わる目地材の二次目地材の断面図。
【図７】図６に示す二次目地材を目地に挿入した状態を示す断面図。
【図８】図７６に示す二次目地材の頂部を押込んで平坦にした状態を示す断面図。
【図９】本発明に係わる目地材の断面図。
【符号の説明】
【００２２】
１、１８、２３・・外壁パネル
２、２４・・目地
３・・一次目地材
４、１２・・柱部
５、１３・・頭部リップ
６、１４・・中間リップ
７、１６・・下部リップ
８・・ブリッジ
９・・リップ
１０、２１・・二次目地材
１１・・柱
１５・・鉤状部
１７・・溝形鋼
１９・・目地材
２０、２２・・上実
２１ａ・・頂部
２１ｂ・・折返し部
２１ｃ・・リップ
２１ｄ・・突部
【図１】
2006057400.tif 000003
【図２】
2006057400.tif 000004
【図３】
2006057400.tif 000005
【図４】
2006057400.tif 000006
【図５】
2006057400.tif 000007
【図６】
2006057400.tif 000008
【図７】
2006057400.tif 000009
【図８】
2006057400.tif 000010
【図９】
2006057400.tif 000011